(57)【特許請求の範囲】
【請求項１】
固定本体１にロータ２が回転可能かつ前後方向に移動不能に嵌挿され、軸方向に形成された鍵孔３と交叉するようにロータ２にその半径方向にコードピン孔４が形成され、コードピン孔４と連通するように固定本体１にその半径方向にドライバーピン孔５が形成され、コードピン孔４に挿入したコードピン６とドライバーピン孔５に挿入したドライバーピン７をドライバーピン孔５に装填したバネ８によって鍵孔３の方向に移動付勢し、鍵孔３に挿入した鍵９のコード用凹部１０にコードピン６の先端部が係合したとき、コードピン６の頭部とドライバーピン７の先端部との当接部がロータ２の外周面１１と一致する位置に移動し、これによって固定本体１に対するロータ２の回転拘束が解除されるシリンダー錠において、
コードピン６の頭部の端面１２を曲率半径がロータ２の外周面の半径と符合する凸球面状に形成し、ドライバーピン７の先端部の端面１３をコードピン６の前記端面１２が全面にて当接する凹球面状に形成し、ドライバーピン７の前記端面１３の外周縁部１３ａが解錠状態においてロータ２の外周面１１の外側に位置するように、複数個のコードピン孔４の孔縁部をロータ２の軸線方向に一連に連続した同一深さの平坦面１７に削除形成したことを特徴とするシリンダー錠。
【発明の詳細な説明】
【０００１】
【発明が属する技術分野】
本発明は、鍵コードが近似した錠グループ間における誤解錠現象がないシリンダー錠に関するものである。
【０００２】
【従来の技術】
図７と図８に例示したように従来のシリンダー錠では、固定本体１にロータ２が回転可能かつ前後方向に移動不能に嵌挿され、軸方向に形成された鍵孔３と交叉するようにロータ２にその半径方向にコードピン孔４が形成され、該コードピン孔４と連通するように固定本体１にその半径方向にドライバーピン孔５が形成され、コードピン孔４に挿入したコードピン６とドライバーピン孔５に挿入したドライバーピン７をドライバーピン孔５に装填したバネ８によって鍵孔３の方向に移動付勢し、鍵孔３に挿入した鍵９のコード用凹部１０にコードピン６の先端部が係合したとき、コードピン６の頭部とドライバーピン７の先端部との当接部がロータ２の外周面１１と一致する位置に移動し、これによって固定本体１に対するロータ２の回転拘束が解除されるようになっている。
【０００３】
従来のシリンダー錠においては、コードピン６の頭部の端面１２は、ロータ２の外周面１１の半径と無関係に選択された曲率半径の凸球面状に形成され、また、ドライバーピン７の先端部の端面１３もロータ２の外周面１２の半径とは無関係に選択された凸球面状に形成され、コードピン６とドライバーピン７はこれら凸球面状端面１２，１３の頂点において点接触している。
【０００４】
このような点接触方式であるため、鍵９の挿入によってコードピン６とドライバーピン７の当接点がロータ２の外周面１１上に移動した解錠状態において、ドライバーピン７の端面１３とロータ２の外周面１１との間には、図７に示したように端面の曲率半径の大きさに相応したギャップＧが存在していることになる。
【０００５】
この不可避的に発生するギャップＧのロータ半径方向の高さが、鍵コード設定変更のために選択された最小単位寸法と同じであるか、それに近似している場合には、本来的には解錠位置にはないドライバーピン７がコードピン孔４の側に落ち込むことになり、鍵９によってロータ２を回したとき、コードピン孔４の孔縁部によって当該ドライバーピン７の端面１３が押し上げられて解錠位置に移動してしまい、本来的には解錠されていない筈のロータ２が回されてしまうという、誤解錠現象を発生させることになる。
【０００６】
このような誤解錠現象は、鍵コード設定変更用の最小基本単位寸法が小さければ小さい程発生しやすくなる。誤解錠現象防止のためには鍵コード設定変更用の最小単位寸法を長くとれば良いのであるが、そうすると誤解錠現象は抑制できても、得られる鍵違いの数（鍵コードが相互に異なる鍵の組合せ）が減少してしまうことになる。
【０００７】
【発明が解決しようとする課題】
したがって本発明の目的は、鍵コード設定変更用の最小基本単位を長くとらなくても、誤解錠現象を的確に防止することができるシリンダー錠を提供することである。
【０００８】
【課題を解決するための手段】
以下、添付図面中の参照符号を用いて説明すると、本発明が対象とするシリンダー錠は、固定本体１にロータ２が回転可能かつ前後方向に移動不能に嵌挿され、軸方向に形成された鍵孔３と交叉するようにロータ２にその半径方向にコードピン孔４が形成され、コードピン孔４と連通するように固定本体１にその半径方向にドライバーピン孔５が形成され、コードピン孔４に挿入したコードピン６とドライバーピン孔５に挿入したドライバーピン７をドライバーピン孔５に装填したバネ８によって鍵孔３の方向に移動付勢し、鍵孔３に挿入した鍵９のコード用凹部１０にコードピン６の先端部が係合したとき、コードピン６の頭部とドライバーピン７の先端部との当接部がロータ２の外周面１１と一致する位置に移動し、これによって固定本体１に対するロータ２
の回転拘束が解除されるものである。
【０００９】
本発明の特徴とするところは、コードピン６の頭部の端面１２を曲率半径がロータ２の外周面の半径と符合する凸球面状に形成し、ドライバーピン７の先端部の端面１３をコードピン６の前記端面１２が全面にて当接する凹球面状に形成し、ドライバーピン７の前記端面１３の外周縁部１３ａが解錠状態においてロータ２の外周面１１の外側に位置するように、複数個のコードピン孔４の孔縁部をロータ２の軸線方向に一連に連続した同一深さの平坦面１７に削除形成することである。
【００１０】
【発明の作用】
ロータ２が鍵抜差し位置に回され、ロータ２側のコードピン孔４が固定本体１側のドライバーピン孔５に対面しているとき、コードピン頭部の凸球面状の端面１２とドライバーピン先端部の凹球面状の端面１３は互いにその全面にて面接触している。
図３に示したように所定の鍵９をロータ２の鍵孔３に所定深さまで挿入したとき、特定のコード用凹部１０に特定のコードピン６の先端部が入り込み係合し、コードピン６の頭部によって押されたドライバーピン７は、バネ８の付勢に抗してドライバーピン孔５へコード用凹部１０の深さ分だけ押上げられ、図６に示したようにコードピン６の頭部端面１２とドライバーピン７の先端部端面１３はロータ２の外周面１１上に移動し、端面１２の凸球面と端面１３の凹球面はロータ外周面１１の円弧面に整列合致することになる。
【００１１】
この鍵挿入位置から鍵９によってロータ２を所定方向に回すと、ロータ２の後端部に装備される止め金板（図示していない）が施錠位置に回動し、箱等の固定枠体側の受金部（図示していない）と係合し、シリンダー錠の装備されている扉（図示していない）を固定枠体に対して開放不能に施錠することになる。
【００１２】
前記のようにロータ２を鍵挿入位置から施錠位置へと回すとき、ドライバーピン７の先端部端面１３はロータ２のコードピン４側に落ち込むことがなく、ドライバーピン７がコードピン４の孔縁部に引っ掛かることはない。
【００１３】
【発明の実施の形態】
図示の実施例では、鍵９のコード用凹部１０は板状鍵の稜線部分に形成されているが、コード用凹部の形成部位はこれに限定されず、板状鍵の端面エッジ部や側面部に形成することもできる。
また、コードピン６とドライバーピン７の組み合わせは単一の半径上に配列されているが、ピン配列の形態はこれに限定されず、互いの間に角度を置いた２以上の半径上に配置することもできる。本発明では、削除形成の対象となる部位はコードピン４の孔縁部に限定されているから、何等支障なく同一円周面において２以上の半径上にピン配列を置くことができるのである。
【００１４】
バネ８は圧縮コイルバネで構成され、バネ押え板材１５によって支持されている。ドライバーピン７にはバネ８の端部が収容される凹部１６を形成してある。
切削加工の便宜上、複数個のコードピン孔４の孔縁部は軸線方向に一連に連続して深さＤに削除形成されており、コードピン４とコードピン４の間の周面部分も平坦面１７に形成されている。
【００１５】
ロータ２の後端部の外周面には環状溝１８が形成され、固定本体１の後端部の内周面には、環状溝１８に対面する環状溝１９が形成されている。これら環状溝１８，１９にまたがってＣ形止め輪２０が嵌められることによって、ロータ２は固定本体１からの抜取りを阻止されている。ロータ２の前端頭部２１は、固定本体１のロータ収容孔２２の段差面２３に当接している。
【００１６】
【発明の効果】
以上のように本発明のシリンダー錠では、コードピン６の頭部の端面１２をロータ２の外周面の半径と符合する曲率半径の凸球面状に形成し、ドライバーピン７の先端部の端面１３をコードピン６の前記端面１２がその全面にて面接触する凹球面状に形成してあるため、ドライバーピン７の先端部端面１３とロータ２の外周面１１との間には、誤解錠の原因となるギャップＧが全く存在しないことになり、鍵コード設定変更用の最小基本単位寸法を長くとらなくても、誤解錠現象を確実に抑止し、鍵違いの数を多くとることができる。
【００１７】
また、ドライバーピン７の端面１３の外周縁部１３ａが解錠状態においてロータ２の外周面１１の外側に位置するように、複数個のコードピン孔４の孔縁部をロータ２の軸線方向に一連に連続した同一深さの平坦面１７に削除形成してあるため、ドライバーピン７の端面１３の外周縁部１３ａがコードピン孔４の孔縁部に引っ掛かることなく、ロータ２を解錠状態から所定方向へ円滑に回転操作することができ、作動の安定性に優れたシリンダー錠を提供することができる。
【図面の簡単な説明】
【図１】本発明の一実施例に係るシリンダー錠の鍵抜取り状態の正面図である。
【図２】図１のシリンダー錠の右側面図である。
【図３】図２のＡ−Ａ線断面図である。
【図４】図１のシリンダー錠に使用したドライバーピンの正面図である。
【図５】図１のシリンダー錠に使用したロータの平面図である。
【図６】図１のシリンダー錠の解錠状態におけるコードピン及びドライバーピンとロータ外周面との関係位置を示す説明図である。
【図７】従来のシリンダー錠の解錠状態におけるコードピン及びドライバーピンとロータ外周面との関係位置を示す説明図である。
【図８】図７のシリンダー錠に使用したロータの平面図である。
【符号の説明】
１  固定本体
２  ロータ
３  鍵孔
４  コードピン孔
５  ドライバーピン孔
６  コードピン
７  ドライバーピン
８  バネ
９  鍵
１０  コード用凹部
１１  ロータの外周面
１２  コードピンの頭部端面
１３  ドライバーピンの先端部端面
１３ａ  端面外周縁部
【図１】
0003589350.tif 000002
【図２】
0003589350.tif 000003
【図３】
0003589350.tif 000004
【図４】
0003589350.tif 000005
【図５】
0003589350.tif 000006
【図６】
0003589350.tif 000007
【図７】
0003589350.tif 000008
【図８】
0003589350.tif 000009